(57)【要約】【課題】画像を含む文書を容易に作成することができる画像形成装置を提供する。【解決手段】シートに画像を形成する画像形成装置１は、読取部１１０、生成部１０１、生成部１０１、検索部１０２、配置部１０３、及び判定部１０５を備える。読取部は、原稿から所定図形２１１，２１２を読み取る。判定部は、所定図形が第１画像２１３，２１４を内包するか否かを判定する。生成部は、第１画像に基づいて、第１検索条件を生成する。検索部は、複数の画像を記憶する記憶装置２から、第１検索条件を満たす第２画像２２０を検索する。配置部は、所定図形が配置された第１領域に、第２画像を配置する。【選択図】図３
2018142093.tif 000002
【特許請求の範囲】
【請求項１】
シートに画像を形成する画像形成装置であって、
原稿から所定図形を読み取る読取部と、
前記所定図形が第１画像を内包するか否かを判定する判定部と、
前記第１画像に基づいて、第１検索条件を生成する生成部と、
複数の画像を記憶する記憶装置から、前記第１検索条件を満たす第２画像を検索する検索部と、
前記所定図形が配置された第１領域に、前記第２画像を配置する配置部と
を備える、画像形成装置。
【請求項２】
前記所定図形が複数の前記第１画像を内包する場合に、前記生成部は、前記複数の第１画像の各々に対応する前記第１検索条件を生成し、
前記検索部は、前記記憶装置から、前記複数の第１画像の各々に対応する前記第１検索条件の全てを満たす前記第２画像を検索する、請求項１に記載の画像形成装置。
【請求項３】
前記生成部は、前記原稿を示す原稿画像のうち前記第１領域と異なる第２領域に位置する第３画像に基づいて、第２検索条件を生成し、
前記第２検索条件は、前記第１検索条件に関連付けられた検索条件であり、
前記検索部は、前記第２検索条件を満たす第４画像を前記記憶装置から検索し、
前記配置部は、前記第１領域に、前記第２画像又は前記４画像を配置する、請求項１又は請求項２に記載の画像形成装置。
【請求項４】
前記生成部は、前記原稿を示す原稿画像のうち前記第１領域と異なる第２領域に位置する第３画像に基づいて、第２検索条件を生成し、
前記第２検索条件は、前記第１検索条件に関連付けられた検索条件であり、
前記検索部は、前記第２検索条件を満たす第４画像を前記記憶装置から検索するとともに、
複数の前記第２画像、及び／又は複数の前記第４画像から、１つの画像を選択するか、又は少なくとも１つの前記第２画像、及び少なくとも１つの前記第４画像から、１つの画像を選択する選択部を更に備え、
前記配置部は、前記第１領域に、前記選択した画像を配置する、請求項１から請求項３のいずれか１項に記載の画像形成装置。
【請求項５】
前記第１画像は、記号及び／又は図形を示す、請求項１から請求項４のいずれか１項に記載の画像形成装置。
【発明の詳細な説明】
【技術分野】
【０００１】
本発明は、画像形成装置に関する。
【背景技術】
【０００２】
特許文献１に記載の画像検索システムにおいて、サーバーは、ユーザーからネットワークを介して画像を受信する。サーバーは、受信した画像に類似する類似画像を検索し、検索にヒットした画像をユーザーに返信する。特許文献１に記載の画像検索システムによれば、ユーザーは、サーバーから受信した画像を手作業で文書に貼り付けることにより、画像を含む文書を作成することができる。
【先行技術文献】
【特許文献】
【０００３】
【特許文献１】特開２００３−２１６６４８号公報
【発明の概要】
【発明が解決しようとする課題】
【０００４】
しかしながら、特許文献１に記載の画像検索システムによっては、例えばユーザーが手作業で画像を文書に貼り付けることに慣れていない場合には、ユーザーが画像を含む文書を作成することは容易ではない。
【０００５】
本発明は、上記課題に鑑みてなされたものであり、画像を含む文書をユーザーの手作業に頼ることなく容易に作成することができる画像形成装置を提供することを目的としている。
【課題を解決するための手段】
【０００６】
本発明の一局面によれば、シートに画像を形成する画像形成装置は、読取部、判定部、生成部、検索部、及び配置部を備える。読取部は、原稿から所定図形を読み取る。判定部は、前記所定図形が第１画像を内包するか否かを判定する。生成部は、前記第１画像に基づいて、第１検索条件を生成する。検索部は、記憶装置から、前記第１検索条件を満たす第２画像を検索する。記憶装置は、複数の画像を記憶している。配置部は、前記所定図形が配置された第１領域に、前記第２画像を配置する。
【発明の効果】
【０００７】
本発明によれば、画像を含む文書をユーザーの手作業に頼ることなく容易に作成することができる。
【図面の簡単な説明】
【０００８】
【図１】本発明の実施形態に係る画像形成装置を示す図である。
【図２】図１の画像形成装置を含む検索システムを示す図である。
【図３】原稿を示す図である。
【図４】表示部を示す図である。
【図５】表示部を示す図である。
【図６】表示部を示す図である。
【図７】表示部を示す図である。
【図８】画像を形成したシートを示す図である。
【図９】図１の制御部の動作を示すフローチャートである。
【発明を実施するための形態】
【０００９】
以下、本発明の実施形態を、図１〜図９を参照して説明する。なお、図中、同一又は相当部分については同一の参照符号を付して説明を繰り返さない。
【００１０】
≪実施形態１≫
以下、図１〜図５を参照して、本発明の実施形態１を説明する。
図１は、本発明の実施形態１に係る画像形成装置１を示す。画像形成装置１は、シートＴに画像を形成する。画像形成装置１は、例えば複合機であり、スキャン機能、コピー機能、印刷機能、及びファクシミリ機能を有する。
【００１１】
図１に示すように、画像形成装置１は、制御部１０と、操作パネル４０と、通信部５０と、原稿搬送部１００と、画像読取部１１０と、収納部１２０と、搬送部１３０と、画像形成部１４０と、定着部１５０と、排出部１６０とを備える。制御部１０は、操作パネル４０、通信部５０、原稿搬送部１００、画像読取部１１０、収納部１２０、搬送部１３０、画像形成部１４０、定着部１５０、及び排出部１６０を制御する。
【００１２】
操作パネル４０は、表示部２０及びタッチセンサー３０を含む。タッチセンサー３０は、例えばタッチパネルであり、表示部２０の表示面上に配設される。通信部５０は、ネットワークを介して外部装置と通信する。
【００１３】
原稿搬送部１００は、画像読取部１１０に向けて原稿を搬送する。画像読取部１１０（読取部）は、原稿から画像を読み取る。収納部１２０はシートＴを収納する。搬送部１３０は、収納部１２０から、画像形成部１４０及び定着部１５０を経て、排出部１６０までシートＴを搬送する。
【００１４】
画像形成部１４０は、シートＴに画像を形成する。また、画像形成部１４０は、感光体ドラム１４１、帯電部１４２、露光部１４３、現像部１４４、転写部１４５、クリーニング部１４６、及び除電部１４７を含む。定着部１５０は、シートＴを加熱及び加圧して、シートＴに画像を定着させる。排出部１６０はシートＴを排出する。
【００１５】
次に、図２を参照して、画像形成装置１を含む検索システムを説明する。図２は、検索システムを示す。検索システムは、画像形成装置１、記憶装置２、及びネットワーク３を含む。記憶装置２は、例えばサーバーであり、複数の画像を記憶している。ネットワーク３は、画像形成装置１を記憶装置２に接続する。ネットワーク３は、例えばＬＡＮ（Ｌｏｃａｌ  Ａｒｅａ  Ｎｅｔｗｏｒｋ）である。
【００１６】
次に、図２を参照して、制御部１０を説明する。制御部１０は、例えば、プロセッサー及び記憶部を含む。プロセッサーは、例えば、ＣＰＵ（Ｃｅｎｔｒａｌ  Ｐｒｏｃｅｓｓｉｎｇ  Ｕｎｉｔ）を含む。記憶部は、例えば、メモリーを含み、ＨＤＤ（Ｈａｒｄ  Ｄｉｓｋ  Ｄｒｉｖｅ）を更に含んでもよい。記憶部は、データ及びコンピュータープログラムを記憶する。
【００１７】
図２に示すように、制御部１０は、生成部１０１、検索部１０２、配置部１０３、選択部１０４、及び判定部１０５を含む。制御部１０は、コンピュータープログラムを実行することによって、生成部１０１、検索部１０２、配置部１０３、選択部１０４、及び判定部１０５として機能する。
【００１８】
生成部１０１は、例えばＯＣＲ（Ｏｐｔｉｃａｌ  Ｃｈａｒａｃｔｅｒ  Ｒｅｃｏｇｎｉｔｉｏｎ）を含み、第１画像に基づいて、第１検索条件を生成する。第１画像は、所定図形に内包される画像である。所定図形は、閉じた線を含む図形（例えば、四角、及び楕円）である。また、所定図形は、画像読取部１１０が原稿から読み取った原稿画像に含まれる図形である。原稿画像は、原稿を示す画像である。判定部１０５は、所定図形が第１画像を内包するか否かを判定する。
【００１９】
検索部１０２は、第１検索条件を満たす第２画像を記憶装置２から検索する。
【００２０】
配置部１０３は、第１領域に第２画像を配置する。第１領域は、原稿画像のうち所定図形が配置された領域である。また、配置部１０３は、編集機能を有する。編集機能は、第２画像の大きさ、及び向きが、第１領域に対して最適な大きさ、及び向きになるように、第２画像を改変する機能である。編集機能は、第２画像を拡大する機能、第２画像を縮小する機能、及び第２画像を回転する機能を含む。選択部１０４は、複数の第２画像から、１つの第２画像を選択する。
【００２１】
次に、図３を参照して、原稿２１０を説明する。図３は、原稿２１０を示す。原稿２１０は、例えばワードプロセッサーを使用して作成された原稿であってもよいし、手書きの原稿であってもよい。
【００２２】
図３に示すように、原稿２１０は、所定図形２１１、所定図形２１２、及び文章画像２１６を含む。文章画像２１６は、文章を示す画像であり、第２領域に配置されている。第２領域は、原稿画像のうち第１領域と異なる領域である。文章画像２１６は、複数の第３画像２１５を含む。第３画像２１５は、記号又は記号列を示す画像である。図３に示す例では、文章画像２１６は、記号「桜」を示す第３画像２１５を含む。なお、本実施形態においては、「記号」は、文字、数字、及び狭義の記号（例えば、「？」、「！」、及び「％」）を含む。
【００２３】
所定図形２１１は四角形の線図であり、第１画像２１３を内包する。第１画像２１３は記号列「地球」を示す。所定図形２１２は楕円形の線図であり、第１画像２１４を内包する。第１画像２１４は、記号「花」を示す。なお、所定図形は、四角形、及び楕円形の線図画に限らず、閉じた線を示す線図であれば、どのような形状（例えば、三角形、及び星形）の線図であってもよい。
【００２４】
［基本原理］
次に、図３を参照して、制御部１０の動作を説明する。制御部１０は、検索処理、及び配置処理を行う。検索処理は、基本的には、所定図形２１１及び所定図形２１２の内部に配置された第１画像に基づいて、第２画像を検索する処理である。配置処理は、基本的には、第２画像を第１領域に配置する処理である。
【００２５】
始めに、基本的な検索処理である第１検索処理と、第１検索処理に引き続いて行われる第１配置処理とを説明する。
【００２６】
図３に示すように、第１検索処理においては、画像読取部１１０は、原稿２１０から所定図形２１１、及び所定図形２１２を含む原稿画像を読み取る。判定部１０５は、所定図形２１１、及び所定図形２１２が第１画像２１３、及び第１画像２１４を内包するか否かを判定する。
【００２７】
生成部１０１は、所定図形２１１に内包された第１画像２１３を抽出し、所定図形２１２に内包された第１画像２１４を抽出する。生成部１０１は、第１画像２１３に基づいて、第１検索条件としてのキーワード「地球」を生成し、第１画像２１４に基づいて、第１検索条件としてのキーワード「花」を生成する。そして、生成部１０１は、キーワード「地球」とキーワード「花」とを検索部１０２に入力する。
【００２８】
検索部１０２は、キーワード「地球」に基づいて、物体である「地球」を示す第２画像を記憶装置２から検索する。また、検索部１０２は、キーワード「花」に基づいて、物体である「花」を示す第２画像を記憶装置２から検索する。
【００２９】
次に、第１配置処理を説明する。第１配置処理においては、配置部１０３は、「地球」を示す第２画像を、所定図形２１１が配置された第１領域に配置する。また、配置部１０３は、「花」を示す第２画像を、所定図形２１２が配置された第１領域に配置する。
【００３０】
以上、図１〜図３を参照して説明したように、本実施形態の画像形成装置１によれば、所定図形２１１に内包される第１画像２１３に基づいて、第１検索条件（例えば、キーワード「地球」）が生成される。記憶装置２から、第１検索条件を満たす第２画像が検索され、所定図形２１１が配置された第１領域に、第２画像が配置される。また、所定図形２１２に内包される第１画像２１４に基づいて、第１検索条件（例えば、キーワード「花」）が生成される。記憶装置２から、第１検索条件を満たす第２画像が検索され、所定図形２１２が配置された第１領域に、第２画像が配置される。従って、ユーザーは、原稿２１０に、楕円及び四角のような所定図形を配置し、所定図形の内部に第１画像（例えば、記号「地球」、及び記号「花」）を配置するだけで、所定図形の位置に所望の画像が配置された文書を作成することができる。その結果、本実施形態によれば、画像を含む文書を手作業に頼ることなく容易に作成することができる。
【００３１】
なお、実施形態１においては、第１検索処理及び第１配置処理に加えて、第１選択処理を実行することができる。以下、図４及び図５を参照して、第１選択処理を説明する。図４及び図５はそれぞれ表示部２０を示す。第１選択処理は、第１検索処理において、複数の第２画像２２０が検索にヒットした場合に、第１配置処理において、複数の第２画像２２０から第１領域に配置する１つの第２画像２２０を選択する処理である。
【００３２】
図４に示すように、第１選択処理において、表示部２０は、複数の第２画像２２０（画像「Ｄ１」、画像「Ｄ２」、画像「Ｄ３」、画像「Ｄ４」、画像「Ｄ５」、及び画像「Ｄ６」）と、メッセージ２２１とを表示する。複数の第２画像２２０のそれぞれは、第１検索条件としてのキーワード「地球」を満たす画像である。つまり、複数の第２画像２２０のそれぞれは、物体である「地球」を示す画像である。メッセージ２２１は、複数の第２画像２２０のうちの１つの第２画像２２０を選択することを促す旨の文言を含む。
【００３３】
図４に示す表示部２０において、ユーザーが１つの第２画像２２０（例えば、画像「Ｄ１」）に対してタッチ操作を行うと、画像「Ｄ１」が仮に選択される。そして、表示部２０が表示する画面は、図５に示す画面に遷移する。
【００３４】
図５に示すように、表示部２０は、１つの第２画像２２０（画像「Ｄ１」）と、メッセージ２２２と、確認ボタン２２３とを表示する。メッセージ２２２は、ユーザーが１つの第２画像２２０を最終的に選択するか否かを確認する旨の文言を含む。確認ボタン２２３は、ユーザーが１つの第２画像２２０を最終的に選択するための「ＹＥＳ」ボタンと、仮の選択をキャンセルするための「ＮＯ」ボタンとを含む。確認ボタン２２３において、ユーザーが「ＹＥＳ」ボタンに対してタッチ操作を行うと、選択部１０４は、複数の第２画像２２０から、１つの第２画像２２０（画像「Ｄ１」）を選択する。一方、ユーザーが「ＮＯ」ボタンに対してタッチ操作を行うと、表示部２０が表示する画面は、図４に示す画面に遷移する。
【００３５】
以上、図４及び図５を参照して説明したように、本実施形態の画像形成装置１によれば、選択部１０４が、ユーザーの指示に従って、複数の第２画像２２０から１つの第２画像２２０を選択する。従って、複数の第２画像２２０が検索にヒットした場合に、配置部１０３は、ユーザーの意図に沿うように、より適切な第２画像２２０を第１領域に配置することができる。
【００３６】
なお、１つの所定図形が複数の第１画像を内包する場合、生成部１０１は、複数の第１画像の各々に対応する第１検索条件を生成する。例えば所定図形が２つのグループに区分された記号列（例えば、記号列「ＡＢ  Ｃ」）を含む場合は、生成部１０１は、記号列「ＡＢ」を示す第１画像から１つの第１検索条件を生成する。また、生成部１０１は、記号「Ｃ」を示す第１画像から他の１つの第１検索条件を生成する。検索部１０２は、複数の第１画像の各々に対応する第１検索条件の全てを満たす第２画像２２０を記憶装置２から検索する。
【００３７】
以上説明したように、本実施形態の画像形成装置１によれば、１つの所定図形が複数の第１画像を内包する場合は、複数の第１画像の各々に対応する第１検索条件の全てを満たす第２画像２２０が検索される。つまり、検索部１０２は、全ての第１検索条件をアンド条件として第２画像２２０を検索する。従って、検索部１０２は、第１領域に配置する第２画像２２０として、より適切な第２画像２２０を検索することができる。
【００３８】
《実施形態２》
次に、図１〜図８を参照して、本発明の実施形態２を説明する。
実施形態１においては、制御部１０は、第１検索処理、及び第１配置処理を実行した。実施形態２においては、制御部１０は、第１検索処理、第２検索処理、及び第２配置処理を実行する。以下、第２実施形態が第１実施形態と異なる点を主に説明する。
【００３９】
実施形態２において、制御部１０は、第１検索処理を実行することによって、第１検索条件を満たす第２画像２２０を検索する。制御部１０は、第１検索処理に引き続いて第２検索処理を実行する。第２検索処理において、検索部１０２は、第２検索条件を満たす第４画像を検索する。第２検索条件は、第１検索条件に関連付けられた検索条件である。第２検索条件は、生成部１０１が、第２領域に位置する第３画像２１５に基づいて生成する。第２配置処理は、第２検索処理に引き続いて行われる処理である。第２配置処理において、配置部１０３は、第２画像２２０、又は第４画像を第１領域に配置する。ここで、配置部１０３は、編集機能を有する。編集機能は、第２画像又は第４画像の大きさ、及び向きが、第１領域に対して最適な大きさ、及び向きになるように、第２画像又は第４画像を、拡大、縮小、又は回転する機能を含む。
【００４０】
以下、図３を参照して、第２検索処理及び第２配置処理の詳細を説明する。図３に示すように、第２検索処理においては、画像読取部１１０は、原稿２１０から文章画像２１６を含む原稿画像を読み取る。生成部１０１は、文章画像２１６から、第２検索条件を示す第３画像２１５を抽出する。具体的には、制御部１０の記憶部は、第１検索条件と第２検索条件とを関連付けたテーブルを記憶している。例えば、記憶部は、第１検索条件としてのキーワード「花」と、第２検索条件（例えば、キーワード「バラ」、キーワード「桜」、・・・）とを関連付けたテーブルを記憶している。
【００４１】
生成部１０１は、第１検索条件としてのキーワード「花」に基づいて、テーブルから第２検索条件を取得し、第２検索条件を示す画像を文章画像２１６から抽出する。図３に示す例では、文章画像２１６は記号「桜」を示す第３画像２１５を含んでおり、生成部１０１は、文章画像２１６から、記号「桜」を示す第３画像２１５を抽出する。
【００４２】
生成部１０１は、記号「桜」を示す第３画像２１５から、第２検索条件としてのキーワード「桜」を生成し、検索部１０２に入力する。検索部１０２は、キーワード「桜」を満たす第４画像を記憶装置２から検索する。第４画像は、例えば物体である「桜」、又は物体である「桜の花」を示す画像である。
【００４３】
次に、第２配置処理を説明する。第２配置処理においては、配置部１０３は、第１検索処理の検索結果である第２画像２２０、又は第２検索処理の検索結果である第４画像を、所定図形２１２が配置された第１領域に配置する。具体的には、配置部１０３は、物体である「花」を示す第２画像２２０か、又は物体である「桜」又は物体である「桜の花」を示す第４画像を第１領域に配置する。
【００４４】
以上、図３を参照して説明したように、本実施形態の画像形成装置１によれば、第２領域に第２検索条件を示す第３画像２１５が存在する場合に、検索部１０２は、第１検索条件を満たす第２画像２２０、及び第２検索条件を満たす第４画像の両方を検索する。従って、例えば原稿２１０中に第１検索条件と関連する単語がある場合に、第１検索条件と関連する単語から第２検索条件が生成され、第２検索条件を満たす第４画像が検索され、第２画像２２０又は第４画像が第１領域に配置される。その結果、選択の範囲が広がり、原稿２１０の内容に対して、より適切な画像を第１領域に配置することができる。
【００４５】
なお、実施形態２においては、第１検索処理、第２検索処理、及び第２配置処理に加えて、第２選択処理を実行することができる。以下、第２選択処理を説明する。第２選択処理は、第２配置処理において、第１領域に配置する画像（第２画像２２０又は第４画像）が複数存在する場合に、複数の画像から１つの画像を選択する処理である。具体的には、第２選択処理において、選択部１０４は、複数の第２画像２２０、及び／又は複数の第４画像から、１つの画像を選択する。又は、第２選択処理において、選択部１０４は、少なくとも１つの第２画像２２０、及び少なくとも１つの第４画像から、１つの画像を選択する。
【００４６】
以下、図６〜図８を参照して、第２選択処理の詳細を説明する。図６及び図７はそれぞれ表示部２０を示す。図６に示す表示部２０は、３つの第２画像２２０（画像「Ｄ１１」、画像「Ｄ１２」、及び画像「Ｄ１３」）と、３つの第４画像２４０（画像「Ｄ１４」、画像「Ｄ１５」、及び画像「Ｄ１６」）と、メッセージ２２１とを表示している。３つの第２画像２２０のそれぞれは、第１検索条件としてのキーワード「花」を満たす画像である。つまり、３つの第２画像２２０のそれぞれは、物体である「花」を示す画像である。３つの第４画像２４０のそれぞれは、第２検索条件としてのキーワード「桜」を満たす画像である。つまり、３つの第４画像２４０のそれぞれは、物体である「桜」、又は物体である「桜の花」を示す画像である。
【００４７】
図６に示す表示部２０において、例えば、ユーザーが１つの第４画像２４０（画像「Ｄ１４」）に対してタッチ操作を行うと、画像「Ｄ１４」が仮に選択される。そして、表示部２０が表示する画面は、図７に示す画面に遷移する。
【００４８】
図７に示すように、表示部２０は、１つの第４画像２４０（画像「Ｄ１４」）と、メッセージ２２４と、確認ボタン２２３とを表示する。メッセージ２２４は、ユーザーが１つの第４画像２４０を最終的に選択するか否かを確認する旨の文言を含む。確認ボタン２２３において、ユーザーが「ＹＥＳ」ボタンに対してタッチ操作を行うと、選択部１０４は、複数の第２画像２２０及び複数の第４画像２４０から、１つの第４画像２４０（画像「Ｄ１４」）を選択する。一方、ユーザーが「ＮＯ」ボタンに対してタッチ操作を行うと、表示部２０が表示する画面は、図６に示す画面に遷移する。
【００４９】
図８は、結果物２３０を示す。結果物２３０は、画像形成部１４０が画像を形成したシートＴである。結果物２３０は、物体である「地球」を示す画像２３１（画像「Ｄ１」）、物体である「桜の花」を示す画像２３２（画像「Ｄ１４」）、及び文章画像２１６を含む。
【００５０】
以上、図６〜図８を参照して説明したように、本実施形態の画像形成装置１によれば、選択部１０４が、ユーザーの指示に従って、複数の第２画像２２０及び複数の第４画像２４０から１つの画像（画像「Ｄ１４」）を選択する。従って、配置部１０３は、ユーザーの意図に沿うように、より適切な画像を第１領域に配置することができる。
【００５１】
次に、図９を参照して、実施形態２における制御部１０の動作をより詳細に説明する。図９は、制御部１０の動作を示すフローチャートである。
【００５２】
ステップＳ１０１において、制御部１０は、画像読取部１１０が所定図形（所定図形２１１、及び所定図形２１２）を含む原稿画像を原稿２１０から読み取るように、画像読取部１１０を制御する。
【００５３】
ステップＳ１０２において、判定部１０５は、原稿画像が所定図形を含むか否かを判定する。所定図形を含まないと判定された場合は（ステップＳ１０２でＮｏ）、処理は終了する。一方、所定図形を含むと判定された場合は（ステップＳ１０２でＹｅｓ）、処理はステップＳ１０３に進む。
【００５４】
ステップＳ１０３において、判定部１０５は、所定図形が第１画像（第１画像２１３、及び第１画像２１４）を内包するか否かを判定する。原稿画像を内包しないと判定された場合は（ステップＳ１０３でＮｏ）、処理は終了する。一方、第１画像を内包すると判定された場合は（ステップＳ１０３でＹｅｓ）、処理はステップＳ１０４に進む。
【００５５】
ステップＳ１０４において、生成部１０１は、第１画像に基づいて、第１検索条件（キーワード「地球」、及びキーワード「花」）を生成する。また、生成部１０１は、文章画像２１６から、第３画像２１５を抽出し、第２検索条件（キーワード「桜」）を生成する。
【００５６】
ステップＳ１０５において、検索部１０２は、第１検索条件を満たす第２画像２２０を記憶装置２から検索する。また、検索部１０２は、第２検索条件を満たす第４画像２４０を記憶装置２から検索する。第２画像２２０及び／又は第４画像２４０が存在する場合、制御部１０は、少なくとも１つの第２画像２２０、及び／又は少なくとも１つの第４画像２４０を表示するように、表示部２０を制御する。
【００５７】
ステップＳ１０６において、制御部１０は、選択部１０４が、表示部２０に表示された少なくとも１つの第２画像２２０、及び／又は少なくとも１つの第４画像２４０のうちの１つの画像を選択したか否かを判定する。１つの画像を選択していないと判定された場合は（ステップＳ１０６でＮｏ）、制御部１０は、選択部１０４が１つの画像を選択するまで待機する。一方、１つの画像を選択したと判定された場合は（ステップＳ１０６でＹｅｓ）、処理はステップＳ１０７に進む。
【００５８】
ステップＳ１０７において、配置部１０３は、選択した画像を第１領域に配置する。
【００５９】
ステップＳ１０８において、制御部１０は、選択した画像を含む原稿画像をシートＴに形成するように、画像形成部１４０を制御し、処理は終了する。
【００６０】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、下記（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６１】
（１）本発明の実施形態においては、図３を参照して説明したように、制御部１０は、検索処理として、第１検索処理、及び第２検索処理を実行した。本発明はこれに限られず、制御部１０は、更に、第３検索処理を実行することができる。第３検索処理は、検索にヒットする第２画像２２０及び／又は第４画像２４０の数を適当な数に絞るために第３検索条件を使用する処理である。
【００６２】
第３検索処理において、画像形成装置１は、第３検索条件の入力を受け付ける。第３検索条件は、例えば、第２画像２２０の解像度を示す情報、第２画像２２０のサイズを示す情報、第２画像２２０の色数を示す情報、日付（例えば、写真の撮影日時、画像の作成日時）を示す情報、位置（例えば、写真を撮影した場所の国名、都道府県名、又は市町村名）を示す情報、又は第２画像２２０の作成者を示す情報である。ユーザーは、例えば操作パネル４０を介して、検索部１０２に第３検索条件を入力する。
【００６３】
画像形成装置１が第３検索条件の入力を受け付けると、検索部１０２は、第１検索条件と第３検索条件とを満たす第２画像２２０を記憶装置２から検索する。また、第２領域に第２検索条件を示す第３画像２１５が存在する場合、検索部１０２は、第２検索条件と第３検索条件とを満たす第４画像２４０を記憶装置２から検索する。
【００６４】
以上説明したように、本変形例の画像形成装置１によれば、画像形成装置１が第３検索条件の入力を受け付けると、第１検索条件と第３検索条件とを満たす第２画像２２０か、又は第２検索条件と第３検索条件とを満たす第４画像２４０が検索される。従って、検索にヒットする画像が多くなりすぎることを防止できる。あるいは、検索対象を絞り込むことができ、検索部１０２は、ユーザーの意図に沿うように、より適切な内容の第２画像を検索することができる。
【００６５】
（２）本発明の実施形態においては、図３を参照して説明したように、生成部１０１は、記号又は記号列を示す第１画像２１３及び第１画像２１４に基づいて、第１検索条件を生成した。本発明はこれに限られず、第１画像２１３及び第１画像２１４は図形（手書きの図形又は絵を含む）を示してもよい。第１画像２１３及び第１画像２１４が図形を示す場合には、検索部１０２は、類似画像検索により第２画像２２０を検索する。具体的には、生成部１０１は、第１画像２１３及び第１画像２１４から第１検索条件としての特徴量を抽出する。検索部１０２は、第１検索条件を満たす第２画像２２０を記憶装置２から検索する。
【００６６】
（３）本発明の実施形態においては、図３を参照して説明したように、第２検索条件を示す第３画像２１５が存在する場合に、検索部１０２は、第２画像２２０、及び第４画像２４０の両方を検索した。換言すれば、検索部１０２は、第１検索条件及び第２検索条件をオア条件として、画像を検索した。本発明はこれに限られず、検索部１０２は、第１検索条件及び第２検索条件の両方を満たす画像を検索することもできる。換言すれば、検索部１０２は、第１検索条件及び第２検索条件をアンド条件として、画像を検索することもできる。
【００６７】
（４）本発明の実施形態においては、１つの所定図形が複数の第１画像（例えば、記号列「ＡＢ」を示す第１画像、及び記号「Ｃ」を示す第１画像）を含む場合に、検索部１０２は、複数の第１画像の各々に対応する第１検索条件の全てを満たす第２画像２２０を検索した。換言すれば、検索部１０２は、複数の第１画像の各々に対応する第１検索条件をアンド条件として、第２画像２２０を検索した。本発明はこれに限られず、検索部１０２は、１つの所定図形が複数の第１画像を含む場合に、複数の第１画像の各々に対応する第１検索条件のいずれかを満たす第２画像２２０を検索することもできる。換言すれば、検索部１０２は、複数の第１画像の各々に対応する第１検索条件をオア条件として、第２画像２２０を検索することもできる。
【００６８】
（５）本発明の実施形態においては、図２を参照して説明したように、記憶装置２は、ネットワーク３を介して画像形成装置１と接続される。本発明はこれに限られず、記憶装置２は、画像形成装置１に内蔵されてもよい。例えば、制御部１０の記憶部であるＨＤＤが複数の画像を記憶し、検索部１０２は、ＨＤＤから第２画像２２０又は第４画像２４０を検索してもよい。
【産業上の利用可能性】
【００６９】
本発明は、表示装置及び画像形成装置に関するものであり、産業上の利用可能性を有する。
【符号の説明】
【００７０】
１        ：画像形成装置
２        ：記憶装置
１０      ：制御部
２０      ：表示部
１０１    ：生成部
１０２    ：検索部
１０３    ：配置部
１０４    ：選択部
１０５    ：判定部
１１０    ：画像読取部
１４０    ：画像形成部
２１０    ：原稿
２１１    ：所定図形
２１２    ：所定図形
２１３    ：第１画像
２１４    ：第１画像
２１５    ：第３画像
２２０    ：第２画像
Ｔ        ：シート
【図１】
2018142093.tif 000003
【図２】
2018142093.tif 000004
【図３】
2018142093.tif 000005
【図４】
2018142093.tif 000006
【図５】
2018142093.tif 000007
【図６】
2018142093.tif 000008
【図７】
2018142093.tif 000009
【図８】
2018142093.tif 000010
【図９】
2018142093.tif 000011